(57)【要約】【課題】画像処理装置を設定操作することなく画像情報の拡縮を行う。【解決手段】原稿を光学的に読み取り画像情報を出力する画像処理装置１において、原稿トレイ７にセットされた原稿用紙Ｓから、原稿の画像データと該原稿用紙Ｓの大きさを表す原稿サイズを読み取る原稿読取部１０と、原稿台ガラス５の上にセットされた用紙Ｑから、画像情報を出力する用紙の大きさを表す出力用紙サイズを読み取る出力用紙サイズ読取部２０と、原稿サイズと出力用紙サイズの比に基づいて原稿の画像データの大きさを変更させた画像情報を生成する画像拡縮部３０とを備える。【選択図】図１
2019121986.tif 000002
【特許請求の範囲】
【請求項１】
原稿を光学的に読み取り画像情報を出力する画像処理装置において、
原稿トレイにセットされた原稿用紙から、前記原稿の画像データと該原稿用紙の大きさを表す原稿サイズを読み取る原稿読取部と、
原稿台ガラスの上にセットされた用紙から、前記画像情報を出力する用紙の大きさを表す出力用紙サイズを読み取る出力用紙サイズ読取部と、
前記原稿サイズと前記出力用紙サイズの比に基づいて前記画像データの大きさを変更させた前記画像情報を生成する画像拡縮部と
を備えることを特徴とする画像処理装置。
【請求項２】
前記画像拡縮部は、
前記原稿トレイにセットされた前記原稿用紙の該原稿用紙の搬送方向に対する向きと、前記原稿台ガラスの上にセットされた前記用紙の該用紙の走査方向に対する向きとが異なる場合に、前記画像データを回転させ、該画像データの大きさを変更させた前記画像情報を生成する
ことを特徴とする請求項１に記載の画像処理装置。
【請求項３】
前記画像拡縮部は、
前記原稿サイズ及び前記出力用紙サイズのどちらか一方若しくは両方が不定形サイズである場合に、該不定形サイズの原稿サイズ及び該不定形サイズの出力用紙サイズのそれぞれに近い定型サイズの原稿サイズと出力用紙サイズを特定し、該特定した原稿サイズと出力用紙サイズの比に基づいて前記画像データの大きさを変更する
ことを特徴とする請求項１又は２に記載の画像処理装置。
【請求項４】
前記画像情報を印刷用紙に印刷する印刷部を備え、
前記画像拡縮部は、前記印刷部の初期化が終了する前に前記画像情報を生成する
ことを特徴とする請求項１乃至３の何れか一項に記載の画像処理装置。
【発明の詳細な説明】
【技術分野】
【０００１】
本発明は、利用者の操作負担を軽減させる画像処理装置に関する。
【背景技術】
【０００２】
利用者の操作負担を軽減させる画像処理装置としては、例えば特許文献１に開示されたものが知られている。その画像処理装置は、原稿のサイズを取得し、該原稿サイズに対する用紙サイズの比率を取得する。そして用紙サイズの比率が１に最も近い用紙上に、該比率で変倍した画像を形成する。
【先行技術文献】
【特許文献】
【０００３】
【特許文献１】特開２００８−２２２０３号公報
【発明の概要】
【発明が解決しようとする課題】
【０００４】
しかし、特許文献１の技術では、原稿サイズに近い定型サイズの用紙上に変倍した画像を形成する。よって、利用者が例えば用紙をＡ４からＡ３へ拡大したい場合、画像処理装置本体でその設定操作をしなければならない課題がある。
【０００５】
本発明は上記に鑑みてなされたもので、画像処理装置を設定操作することなく画像データの拡縮ができる画像処理装置を提供することを目的とする。
【課題を解決するための手段】
【０００６】
上記目的を達成するため、本発明に係る画像処理装置は、原稿を光学的に読み取り画像情報を出力する画像処理装置において、原稿トレイにセットされた原稿用紙から、前記原稿の画像データと該原稿用紙の大きさを表す原稿サイズを読み取る原稿読取部と、原稿台ガラスの上にセットされた用紙から、前記画像情報を出力する用紙の大きさを表す出力用紙サイズを読み取る出力用紙サイズ読取部と、前記原稿サイズと前記出力用紙サイズの比に基づいて前記画像データの大きさを変更させた前記画像情報を生成する画像拡縮部とを備えることにある。
【発明の効果】
【０００７】
本発明によれば、原稿トレイにセットされた原稿用紙から原稿サイズと画像データを、原稿台ガラスの上にセットされた用紙から出力用紙サイズをそれぞれ読み込み、両者のサイズ比に基づいて画像データを拡大及び縮小するので、画像処理装置における設定操作を不要にできる。
【図面の簡単な説明】
【０００８】
【図１】本発明の実施の形態に係る画像処理装置の機能構成例を模式的に示す図である。
【図２】図１に示す画像処理装置が実行する画像処理方法の処理手順を示すフローチャートである。
【図３】図１に示す画像処理装置のカバー部を図１に示すＡの方向からみた平面を模式的に示す図である。
【図４】図１に示す画像処理装置の原稿台ガラスを図１に示すＡの方向からみた平面を模式的に示す図である。
【図５】本発明の実施の形態に係る画像処理方法の不定型サイズの処理手順を示すフローチャートである。
【図６】比較例の画像処理装置が行う画像拡大の様子を模式的に示す図である。
【図７】図１に示す画像処理装置の画像拡縮部が実行する他の処理手順を示すフローチャートである。
【発明を実施するための形態】
【０００９】
以下、本発明の実施の形態について、図面を参照して説明する。なお、各図面を通じて同一若しくは同等の部位や構成要素には、同一もしくは同等の符号を付し、その説明を省略もしくは簡略化する。
【００１０】
図１は、本発明の実施の形態に係る画像処理装置の機能構成例を模式的に示す図である。図１に示す画像処理装置１は、カバー部２と本体部３とで構成される。画像処理装置１は、カバー部２にセットされる原稿用紙Ｓと、本体部３にセットされる用紙Ｑのサイズ比に基づいて拡大及び縮小（以降、拡縮と略す）した画像情報を生成する装置である。
【００１１】
カバー部２は、原稿トレイ７、排紙トレイ６、原稿幅センサ（図示せず）、及び原稿長センサ（図示せず）を備える。カバー部２は、後述するキャリッジ２１を含めて原稿読取部１０を構成する。原稿幅センサと原稿長センサは図３で説明する。
【００１２】
カバー部２は、図１の奥行き方向の端部に設けられたヒンジ（図示せす）を介して上下に開閉可能に、本体部３に取り付けられている。また、カバー部２は、いわゆる原稿自動送り（ＡＤＦ：Auto Document Feeder）機能を有する。ＡＤＦ機能は、原稿トレイ７にセットされた原稿用紙Ｓを自動的に取り込み、カバー部２の内部で搬送させた後に排紙トレイ６へ排出する。ＡＤＦ機能は一般的なものである。よってその詳細な図示は省略し、原稿用紙Ｓが搬送される略Ｕ字状の搬送路Ｐのみを示す。
【００１３】
本体部３は、原稿台ガラス５、出力用紙サイズ読取部２０、画像拡縮部３０、記憶部４０、制御部５０、及び印刷部６０を備える。図１に示す本体部３は、記憶部４０と印刷部６０を備えるが、これらの機能部は無くても構わない。その場合は、給紙トレイ６１と排紙トレイ６２も不要である。
【００１４】
つまり画像処理装置１は、原稿読取部１０、出力用紙サイズ読取部２０、及び画像拡縮部３０で構成することも可能である。この場合の画像処理装置１は、原稿の画像データを拡縮した画像情報のみを生成する。拡縮した画像情報は、別筐体の例えば印刷装置（印刷部６０に相当）に入力され出力用紙（印刷用紙）に印刷される。以降の説明は、画像情報を出力用紙に印刷する例で説明を行うが、画像情報はそのまま表示装置（図示せず）に表示するようにしてもよい。なお、制御部５０は、図示を省略している操作パネル等からの操作信号に基づいて画像処理装置１全体の動作を制御するものであり、一般的なものである。
【００１５】
画像処理装置１のＡＤＦ機能を構成する機構及び各センサ等を除く各機能構成部は、例えばＲＯＭ、ＲＡＭ、ＣＰＵ等からなるコンピュータで実現してもよい。各機能構成部をコンピュータによって実現する場合、各機能構成部が有すべき機能の処理内容はプログラムによって記述される。そして、このプログラムをコンピュータで実行することにより、画像処理装置１がコンピュータを用いて実現される。
【００１６】
原稿読取部１０は、カバー部２とキャリッジ２１で構成される。キャリッジ２１は、後述する出力用紙サイズ読取部２０と共用する。
【００１７】
キャリッジ２１は、光源２１ａ、ミラー２１ｂ、及びＣＣＤラインセンサ２１ｃを含む。キャリッジ２１は、本体部３の原稿台ガラス（プラテンガラス）５に沿って往復動が可能であり、カバー部２に対向して配置される。往復動する前のキャリッジ２１の静止位置は、図１に示す原稿用紙Ｓの画像データの面を原稿台ガラス５に向けて搬送される搬送路Ｐの真下の位置である。キャリッジ２１は、この静止位置に在る場合に原稿読取部１０のセンサとして作用する。
【００１８】
ここから図２も参照して画像処理装置１の動作を説明する。図２は、画像処理装置１が実行する画像処理方法の処理手順を示すフローチャートである。画像処理装置１は、カバー部２が開閉され、原稿トレイ７に原稿用紙Ｓがセットされることで動作を開始する。
【００１９】
原稿読取部１０は、原稿トレイ７にセットされた原稿用紙Ｓから、原稿の画像データと該原稿用紙Ｓの大きさを表す原稿サイズを読取る（ステップＳ１）。原稿の画像データは、キャリッジ２１内のＣＣＤラインセンサ２１ｃによって、電気信号に変換されて読み取られる。
【００２０】
原稿の画像データを読み取る場合、キャリッジ２１は上記の静止位置にあり、搬送路Ｐを移動中の原稿用紙Ｓの画像データに向けて光源２１ａから光を照射する。照射した光の反射光をミラー２１ｂで偏向してＣＣＤラインセンサ２１ｃで受光する。
【００２１】
図３は、カバー部２を図１にＡで示す方向から見た平面図である。原稿トレイ７には、原稿長センサ１１、原稿長センサ１２、及び原稿幅センサ１３が設けられる。
【００２２】
原稿幅センサ１３は、定型サイズの例えばＡ４の短辺からＡ３の短辺の長さの範囲を可動可能であり、原稿トレイ７に原稿用紙Ｓをセットする際に、原稿用紙Ｓの幅に沿うようにその幅が変化させられる。よって、原稿幅センサ１３は、その幅によって原稿用紙Ｓの短辺の長さを検出する。
【００２３】
原稿長センサ１１は、原稿トレイ７にＡ４が横向きにセットされた際に、その紙の重さでＯＮするスイッチである。また、原稿長センサ１２は、原稿トレイ７にＢ４が横向きにセットされた際に、その紙の重さでＯＮするスイッチである。
【００２４】
原稿幅センサ１３と原稿長センサ１１，１２によって、表１に示すように原稿用紙Ｓの大きさを表す原稿サイズを読み取ることができる。
【００２５】
【表１】
2019121986.tif 000003
【００２６】
原稿サイズのＡ４Ｒは縦置きを意味する。縦置きの場合のＡ４は、搬送方向に対して長辺が直交する向きである。
【００２７】
出力用紙サイズ読取部２０は、原稿台ガラス５、キャリッジ２１、原稿長反射センサ２２、及び原稿長反射センサ２３を備える。原稿台ガラス５の上に、印刷用紙サイズの大きさを決める用紙Ｑがセットされる。なお、キャリジ２１は、参照符号から明らかなように原稿読取部１０で説明したものである。
【００２８】
図４は、カバー部２を開けた状態の原稿台ガラス５を、図１にＡで示す方向から見た平面図である。以降の説明において、原稿台ガラス５の表面をフラットベット（ＦＢ）と称する場合もある。
【００２９】
図４において、長方形の原稿台ガラス５の一方の短辺に沿うように描かれている一点鎖線の四角２１ｅは、キャリッジ２１の静止位置である。キャリッジ２１は、この静止位置に在る場合に、原稿読取部１０として作用する。
【００３０】
キャリッジ２１は、原稿台ガラス５に沿って往復動が可能であり、原稿台ガラス５の長辺方向に往復動（走査）することで、原稿台ガラス５上に置かれた原稿の画像データを読み取ることもできる。原稿台ガラス５の長辺方向を副走査方向、その短辺方向を主走査方向と称する。
【００３１】
図４に示すキャリッジ２１の位置は、出力用紙サイズ読取部２０として作用する場合の位置を示す。原稿台ガラス５の上に用紙Ｑがセットされている場合、キャリッジ２１は静止位置から副走査方向に少し移動してその用紙Ｑの短辺のサイズを読み取る。
【００３２】
このように移動させることで、出力用紙サイズ読取部２０におけるキャリッジ２１は、原稿読取部１０の原稿幅センサ１３に相当する作用をする。原稿台ガラス５の上にセットされた用紙Ｑに対して光源２１ａから光を照射し、その反射光をＣＣＤラインセンサ２１ｃで受光することで用紙Ｑの短辺の長さを読み取ることができる。
【００３３】
一方、原稿長反射センサ２２，２３は、原稿台ガラス５の上にセットされた用紙Ｑの長辺の長さを検出する。原稿長反射センサ２２，２３は、例えばフォトインタラプタで構成され、原稿台ガラス５の上にセットされた用紙Ｑからの反射光を受光する。原稿台ガラス５の上に用紙Ｑがセットされていれば反射光があり、用紙Ｑがセットされていなければ反射光がなしとなる。図４に示す２２ａ，２３ａは、例えば発光素子、２２ｂ，２３ｂは受光素子である。
【００３４】
原稿長反射センサ２２は、原稿台ガラス５の上にＡ４を横にしてセットした場合に反射光を受光できる位置に配置される。原稿長反射センサ２３は、原稿台ガラス５の上にＢ４を横にしてセットした場合に反射光を受光できる位置に配置される。
【００３５】
キャリッジ２１の光源２１ａ及び原稿長反射センサ２２，２３のフォトインタラプタは常時発光させる必要はない。カバー部２を閉めた直後に、キャリッジ２１を副走査方向の原稿台ガラス５の下に移動させ、光源２１ａとフォトインタラプタを一瞬発光させれば、原稿台ガラス５の上にセットされた用紙Ｑの短辺方向の大きさを読み取ることができる。
【００３６】
キャリッジ２１、原稿長反射センサ２２、及び原稿長反射センサ２３は、それぞれ原稿トレイ７の原稿幅センサ１３、原稿長センサ１１、及び原稿長センサ１２に相当する。よって、表１に示す関係と同様にして、原稿台ガラス５の上にセットされた用紙Ｑから、画像データを出力する出力用紙の大きさを表す出力用紙サイズを読み取ることができる。
【００３７】
このように、出力用紙サイズ読取部２０は、原稿台ガラス５（図２ではＦＢ（フラットベット））の上に用紙Ｑがセットされた場合（ステップＳ２のＹＥＳ）に、その用紙Ｑから、原稿読取部１０で読み取った画像データを出力する用紙の大きさを表す出力用紙サイズを読み取る（ステップＳ３）。
【００３８】
画像拡縮部３０は、原稿読取部１０で読み取った原稿サイズと出力用紙サイズ読取部２０で読み取った印刷用紙サイズの比に基づいて原稿の画像データの大きさを変更させた画像情報を生成する（ステップＳ４）。比は、例えば次式で表せる。
【００３９】
【数１】
2019121986.tif 000004
【００４０】
なお、式（１）の分母と分子は入れ替えてもよい。
【００４１】
例えば原稿サイズをＡ４、出力用紙サイズをＡ３とすると、式（１）に示す比の場合は、画像データを約1.41倍に拡大した画像情報が生成される。また、原稿サイズをＡ３、印刷用紙サイズをＡ４とすると、画像データを約0.7倍に縮小した画像情報が生成される。
【００４２】
以上説明したように本実施形態に係る画像処理装置１によれば、原稿台ガラス５の上にセットされた用紙Ｑから出力用紙のサイズ、及び原稿トレイ７にセットされた原稿用紙Ｓから原稿サイズを読み取り、両者のサイズ比に基づいて画像情報を拡縮するので、画像処理装置１における設定操作を不要にできる。
【００４３】
画像拡縮部３０で生成した画像情報は、記憶部４０に記憶する（ステップＳ５）。なお、画像情報は記憶部４０に記憶しなくてもよい。例えばＲＡＭに一時的に記憶させ、印刷部６０の初期化が終了した後（ステップＳ６のＹＥＳ）に、印刷部６０で該画像情報を出力用紙に印刷し、該画像情報は破棄するようにしてもよい。
【００４４】
なお、原稿台ガラス５（図２ではＦＢ（フラットベット））の上に用紙Ｑがセットされていない場合（ステップＳ２のＮＯ）は、原稿トレイ７にセットされた原稿用紙Ｓから、原稿の画像データを読み込み、記憶部４０に記憶する（ステップＳ５）。この場合、原稿トレイ７にセットされた原稿用紙Ｓの画像データは、そのままの大きさで出力用紙に印刷される。この場合は、画像データと画像情報は同じである。なお、画像データは、上記の画像情報と同様に記憶部４０に記憶しなくても構わない。
【００４５】
また、印刷部６０の電源を投入してから初期化に要する時間は、原稿読取部１０及び出力用紙サイズ読取部２０よりも長いのが一般的である。したがって、印刷部６０が初期化される前に、出力用紙に印刷する画像情報の生成が終了していれば、利用者は時間を有効に使うことができる。
【００４６】
そこで、本実施形態に係る画像処理装置１の画像拡縮部３０は、印刷部６０の初期化が終了する前に画像情報を生成する。これにより、印刷部６０が初期化されれば直ぐに印刷できるので、利用者は時間を有効に使うことができる。
【００４７】
以上、原稿用紙Ｓと用紙Ｑの両方が定型サイズの場合で説明した。次に、両者のどちらか一方又は両方が定型サイズと異なる不定型サイズであった場合の動作を説明する。
【００４８】
（不定型サイズの場合）
原稿読取部１０は、原稿用紙Ｓの搬送量から該原稿用紙Ｓの長辺の長さを読み取ることができる。よって、長辺方向の寸法が小さくて原稿長センサ１１をＯＮにできない短い原稿用紙Ｓの場合でも、当該方向の長さを定量的に読み取れる。長辺方向の長さは、キャリッジ２１が原稿用紙Ｓを検知している時間と、原稿用紙Ｓを搬送する各ローラ（図１に参照符号なしで示すカバー部２内の○）の回転数から読み取れる。
【００４９】
原稿用紙Ｓの短辺の長さは、原稿幅センサ１３で読み取れる。このように、原稿用紙Ｓの大きさは不定型サイズであっても読み取ることができる。
【００５０】
出力用紙サイズ読取部２０も、不定型サイズの用紙Ｑの大きさを読み取ることができる。用紙Ｑの長辺の長さはキャリジ２１を副走査方向に一往復させることで読み取れる。用紙Ｑの短辺の長さは、キャリッジ２１のＣＣＤラインセンサ２１ｃで読み取れる。このように、原稿台ガラス５の上にセットされた用紙Ｑの大きさは不定型サイズであっても読み取ることができる。
【００５１】
図５は、不定型サイズの原稿用紙Ｓと用紙Ｑがセットされた場合の本実施形態に係る画像処理方法の処理手順を示すフローチャートである。図５に示すステップＳ３０のＹＥＳ、ステップＳ３１のＹＥＳ、及びステップＳ３２を経るフローは、定型サイズの原稿用紙Ｓと用紙Ｑがセットされた場合の処理手順である。ステップＳ３２の処理は、説明済みの図２のステップＳ４と同じである。
【００５２】
原稿用紙Ｓが不定型サイズの場合（ステップＳ３０のＮＯ）、原稿読取部１０はその旨を制御部６０に送信する。制御部６０は、操作パネル（図示せず）等に不定型サイズであることを表示して利用者にその旨を通知する（ステップＳ３３）。なお、不定型サイズである旨の通知は音声で行ってもよい。
【００５３】
画像拡縮部３０は、原稿読取部１０から原稿用紙Ｓの短辺と長辺の定量値を受信し、原稿用紙Ｓの大きさに近い第１定型サイズを選定する（ステップＳ３４）。例えば190mm×260mmの大きさの原稿用紙ＳはＡ４（210mm×297mm）に近い大きさなので、第１定型サイズをＡ４と選定する。
【００５４】
そして、画像拡縮部３０は、出力用紙サイズ読取部２０から受信した用紙Ｑの短辺と長辺の定量値が定型サイズの大きさであれば（ステップＳ３５のＹＥＳ）、その大きさの定型サイズの印刷用紙サイズと、第１定型サイズの比に基づいて拡縮した画像情報を生成する（ステップＳ３６）。
【００５５】
また、出力用紙サイズ読取部２０から受信した用紙Ｑの短辺と長辺の定量値が定型サイズの大きさでなければ（ステップＳ３５のＮＯ）、用紙Ｑの大きさに近い第２定型サイズを選定する（ステップＳ３７）。例えば280mm×400mmの大きさの原稿用紙ＳはＡ３（297mm×420mm）に近い大きさなので、第２定型サイズをＡ３と選定する。
【００５６】
この場合の画像拡縮部３０は、第１定型サイズと第２定型サイズの比に基づいて拡縮した印刷情報を生成する（ステップＳ３８）。つまり、原稿用紙Ｓと用紙Ｑの双方が不定型サイズであっても定型サイズのサイズ比に基づいて印刷情報が生成される。
【００５７】
原稿用紙Ｓは定型サイズ、用紙Ｑが不定型サイズの場合（ステップＳ３１のＮＯ）、原稿読取部１０はその旨を制御部６０に送信する。制御部６０は、操作パネル（図示せず）等に不定型サイズであることを表示して利用者にその旨を通知する（ステップＳ３９）。
【００５８】
画像拡縮部３０は、出力用紙サイズ読取部２０から用紙Ｑの短辺と長辺の定量値を受信し、用紙Ｑの大きさに近い第３定型サイズを選定する（ステップＳ４０）。例えば250mm×350mmの大きさの用紙ＱはＢ４（257mm×367mm）に近い大きさなので、第３定型サイズをＢ４と選定する。
【００５９】
この場合の画像拡縮部３０は、定型サイズの原稿サイズと第３定型サイズの比に基づいて拡縮した印刷情報を生成する（ステップＳ４１）。
【００６０】
以上説明したように本実施形態に係る画像拡縮部３０は、原稿サイズ及び出力用紙サイズのどちらか一方若しくは両方が不定型サイズである場合に、利用者にその旨を通知すると共に、該不定型サイズの原稿サイズ及び該不定型サイズの出力用紙サイズのそれぞれに近い定型サイズの原稿サイズと出力用紙サイズを選定し、該選定した原稿サイズと出力用紙サイズの比に基づいて画像データの大きさを変更する。これにより、原稿サイズ及び出力用紙サイズが定型サイズの大きさでなくても、それぞれの大きさに近い定型サイズの比に基づいて拡縮された画像情報を生成できる。
【００６１】
なお、原稿サイズ及び出力用紙サイズが不定型サイズである場合、上記のようにそれぞれの用紙の大きさは定量的に求められるので、実寸の比に基づいて拡縮した画像情報を生成するようにしてもよい。
【００６２】
（比較例）
従来の画像処理装置において、原稿トレイに例えばＡ４Ｒの原稿をセットし、出力用紙をＡ３として拡大する場合を想定する。つまり、原稿読取部１０にセットした原稿用紙Ｓの向きと、出力用紙サイズ読取部２０にセットされた用紙Ｑの向きが異なる場合である。この場合、上記の式（１）に示した比で原稿用紙Ｓから読み取った画像データを拡縮すると、画像情報は出力用紙からはみ出すことがある。
【００６３】
図６は、Ａ４Ｒの原稿の画像データを拡大した画像情報が出力用紙からはみ出す様子を模式的に示す図である。このように出力用紙からはみ出してしまう画像情報が生成されると出力用紙を無駄にしてしまう。
【００６４】
次に、このような場合でも出力用紙を無駄にしない画像情報を生成する変形例について説明する。
【００６５】
（変形例）
本実施形態の変形例に係る画像処理装置の機能構成は、上記の画像処理装置１と同じである。変形例の画像処理装置は、該画像処理装置を構成する画像拡縮部３１（図示せず）の作用が異なる。
【００６６】
図７は、変形例の画像処理装置が実行する画像処理方法の処理手順を示すフローチャートである。
【００６７】
変形例の画像拡縮部３１は、原稿トレイ７にセットされた原稿用紙Ｓの向きと原稿台ガラス５の上にセットされた用紙Ｑの向きとが一致するか否かを検出する（ステップＳ５０）。一致する場合とは、例えば、原稿トレイ７にセットされた原稿用紙Ｓの向きがＡ４横で、且つ原稿台ガラス５の上にセットされた用紙Ｑの向きがＡ３横の場合である。この場合は、Ａ４サイズの原稿用紙Ｓの長辺の向きが原稿用紙Ｓの搬送方向と一致し、Ａ３の用紙Ｑの長辺の向きがキャリッジ２１の副走査方向に一致する。
【００６８】
不一致の場合とは、例えば、原稿トレイ７にセットされた原稿用紙Ｓの向きがＡ４縦で、且つ原稿台ガラス５の上にセットされた用紙Ｑの向きがＡ３横の場合である。この場合は、Ａ４サイズの原稿用紙Ｓの長辺の向きが原稿用紙Ｓの搬送方向と直交し、Ａ３サイズの用紙Ｑの長辺の向きがキャリッジ２１の副走査方向に一致する。
【００６９】
この例において、不一致の場合（ステップＳＳ５０のＹＥＳ）は、「出力用紙サイズ：Ａ３」/「原稿サイズ：Ａ４」の比で原稿の画像データを拡大すると、Ａ３の出力用紙に出力される画像情報が出力用紙からはみ出してしまう（図６）。そこで変形例の画像拡縮部３１は、原稿の画像データを回転させてから拡縮を行う。
【００７０】
画像拡縮部３１は、縦方向の用紙が原稿用紙Ｓの場合（ステップＳ５１のＹＥＳ）、原稿の画像データを左へ90度回転（ステップＳ５２）させてから拡縮を行う。また、縦方向の用紙が用紙Ｑの場合（ステップＳ５１のＮＯ）、原稿の画像データを右へ90度回転（ステップＳ５３）させてから拡縮を行う。原稿の画像データを回転させてからの動作は、上記の図２に示した動作と同じである。
【００７１】
原稿の画像データを右へ90度回転させるのは、原稿トレイ７に例えばＡ３の原稿用紙Ｓがセットされ、原稿台ガラス５の上に例えばＡ４の用紙Ｑが縦にセット（Ａ４Ｒ）された場合である。表２に、原稿用紙Ｓの向きと用紙Ｑの向き、及び画像データの回転方向との関係を示す。
【００７２】
【表２】
2019121986.tif 000005
【００７３】
なお上記の実施形態では、Ｂ４縦、及びＡ３縦は構造上あり得ないので、表２では当該表記を省略している。画像処理装置１を大型化させＡ３縦が構造上可能であれば、例えば、原稿用紙ＳがＢ４縦で且つ用紙ＱがＡ３横の場合、原稿用紙ＳがＡ４縦で且つ用紙ＱがＡ３横の場合と同様に、原稿の画像データは左に90度回転させられる。
【００７４】
表２に示すように画像拡縮部３１は、原稿用紙Ｓの向きと用紙Ｑの向きが一致する場合には原稿の画像データを回転させない。画像拡縮部３１は、原稿トレイ７にセットされた原稿用紙Ｓの向きと原稿台ガラス５の上にセットされた用紙Ｑの向きとが異なる場合に、原稿の画像データを回転させ、該画像データの大きさを変更させた画像情報を生成する。これにより、出力用紙からはみ出してしまう画像情報が生成されることを防止でき、出力用紙の無駄を抑制することができる。
【００７５】
上述した実施形態に係る画像処理装置１によれば、原稿トレイ７にセットした原稿用紙Ｓから、原稿の画像データと該原稿用紙の大きさを表す原稿サイズを読み取る。また、原稿台ガラス５の上にセットされた用紙Ｑから、上記読み取った原稿の画像データを印刷する出力用紙の大きさを表す出力用紙サイズを読み取る。そして、読み取った原稿サイズと出力用紙サイズの比に基づいて原稿の画像データの大きさを変更させた画像情報を生成する。
【００７６】
したがって、画像処理装置１は、利用者の設定操作がなくても原稿の画像データを拡縮した画像情報を生成することができる。
【００７７】
なお、１個のキャリッジ２１が備えるＣＣＤラインセンサ２１ｃを、原稿読取部１０と出力用紙サイズ読取部２０で共用する例で説明を行ったが、本発明はこの例に限定されない。原稿読取部１０と出力用紙サイズ読取部２０のそれぞれにセンサを設けてもよい。
【００７８】
また、実施形態では印刷部６０を備える例で説明を行ったが、印刷部６０は無くてもよい。画像拡縮部３０が拡縮した画像情報を生成するだけでもよい。また、画像情報は、例えばＰＤＬ（Page Description Language）形式の１つの印刷指令としてもよい。
【００７９】
このように、本発明はここでは記載していない様々な実施形態等を含むことは勿論である。したがって、本発明の技術的範囲は上記の説明から妥当な特許請求の範囲に係る発明特定事項によってのみ定められるものである。
【００８０】
[付記]
本出願は、以下の発明を開示する。
【００８１】
（付記１）
原稿を光学的に読み取り画像情報を出力する画像処理装置において、
原稿トレイにセットされた原稿用紙から、前記原稿の画像データと該原稿用紙の大きさを表す原稿サイズを読み取る原稿読取部と、
原稿台ガラスの上にセットされた用紙から、前記画像情報を出力する用紙の大きさを表す出力用紙サイズを読み取る出力用紙サイズ読取部と、
前記原稿サイズと前記出力用紙サイズの比に基づいて前記画像データの大きさを変更させた前記画像情報を生成する画像拡縮部と
を備えることを特徴とする画像処理装置。
【００８２】
（付記２）
前記画像拡縮部は、
前記原稿トレイにセットされた原稿用紙の該原稿用紙の搬送方向に対する向きと、前記原稿台ガラスの上にセットされた用紙の該用紙の走査方向に対する向きとが異なる場合に、前記画像データを回転させ、該画像データの大きさを変更させた前記画像情報を生成する
ことを特徴とする付記１に記載の画像処理装置。
【００８３】
（付記３）
前記画像拡縮部は、
前記原稿サイズ及び前記出力用紙サイズのどちらか一方若しくは両方が不定形サイズである場合に、該不定形サイズの原稿サイズ及び該不定形サイズの出力用紙サイズのそれぞれに近い定型サイズの原稿サイズと出力用紙サイズを特定し、該特定した原稿サイズと出力用紙サイズの比に基づいて前記画像データの大きさを変更する
ことを特徴とする付記１又は２に記載の画像処理装置。
【００８４】
（付記４）
前記画像情報を印刷用紙に印刷する印刷部を備え、
前記画像拡縮部は、前記印刷部の初期化が終了する前に前記画像情報を生成する
ことを特徴とする付記１乃至３の何れかに記載の画像処理装置。
【符号の説明】
【００８５】
１  画像処理装置
２  カバー部
３  本体部
５  原稿台ガラス（プラテンガラス）
６、６２  排紙トレイ
７  原稿トレイ
１０  原稿読取部
１１、１２  原稿長センサ
１３  原稿幅センサ
２０  出力用紙サイズ読取部
２１  キャリッジ
２２、２３  原稿長反射センサ（フォトインタラプタ）
２１ａ  光源
２１ｂ  ミラー
２１ｃＣＣＤラインセンサ
３０  画像拡縮部
４０  記憶部
５０  制御部
６０  印刷部
６１  給紙トレイ
Ｓ  原稿用紙
Ｐ  搬送路
Ｑ  用紙
【図１】
2019121986.tif 000006
【図２】
2019121986.tif 000007
【図３】
2019121986.tif 000008
【図４】
2019121986.tif 000009
【図５】
2019121986.tif 000010
【図６】
2019121986.tif 000011
【図７】
2019121986.tif 000012